(57)【要約】【課題】茸類を栽培する農業用ハウスから排出される二酸化炭素を、野菜や果実、花卉などを栽培する農業用ハウスに供給して、光合成を促進させると共に、二酸化炭素の大気中への排出を抑えた循環型農業用ハウスを提供するものである。【解決手段】茸類を栽培する農業用ハウス１と、野菜や果実、花卉を栽培する農業用ハウス２とを隣接して設け、農業用ハウス１にファン９を取付けて、ここで発生した二酸化炭素を、隣接して設けた野菜や果実、花卉を栽培する農業用ハウス２に循環させるようにしたものである。【選択図】  図２
0003176668.tif 000002
【実用新案登録請求の範囲】
【請求項１】
茸類を栽培する農業用ハウスと、野菜や果実、花卉を栽培する農業用ハウスとを隣接して設け、茸類を栽培する農業用ハウスにファンを取付けて、ここで発生した二酸化炭素を、隣接して設けた野菜や果実、花卉を栽培する農業用ハウスに循環させるようにしたことを特徴とする循環型農業用ハウス。
【請求項２】
農業用ハウスを２つに区分して、区分した一方を、茸類を栽培する農業用ハウスとし、区分した他方を野菜や果実、花卉を栽培する農業用ハウスとしたことを特徴とする請求項１記載の循環型農業用ハウス。
【請求項３】
茸類を栽培する農業用ハウスと、野菜や果実、花卉を栽培する農業用ハウスとを分離して設け、茸類を栽培する農業用ハウスに取付けたファンに排出ダクトを接続して、これを野菜や果実、花卉を栽培する農業用ハウスに接続したことを特徴とする請求項１記載の循環型農業用ハウス。
【考案の詳細な説明】
【技術分野】
【０００１】
本考案は、二酸化炭素の大気中への排出を抑えた循環型農業用ハウスに関するものである。
【背景技術】
【０００２】
シイタケやナメコ、シメジなどの茸類を、外気温の影響を受けにくい農業用ハウス内で栽培することが行なわれている。この茸類は、酸素呼吸をする好気性菌であり、酸素を取り入れ、二酸化炭素を放出するため濃度が増加し、特に床面近くに溜るためハウス内を換気する必要がある。
【０００３】
このためハウス内の空気を吸引して外部へ排出するためのファンを設けて、このファンに接続された吸引ダクトを床面近くに配置して効率良く吸引してハウスの外部へ排出することが行なわれている。（特許文献１）                
【０００４】
一方、農業用ハウス内で野菜や果実、花卉などを栽培することが行なわれ、これらは空気中の二酸化炭素を吸収して、太陽光を浴びて生長する。従来、二酸化炭素（ＣＯ２  ）入りのガスボンベから所定量の二酸化炭素ガスを農業用ハウス内に供給することにより、植物の光合成を人工的に促進させて、その生長を促すことが行われている。しかしながら、ガスボンベの二酸化炭素ガスを利用すると、生長促進ガスとして大量に消費されるため、栽培コストが高くなる問題がある。
【０００５】
このため空気を加熱する暖房用の暖房装置と、電力及び熱を発生する熱電併給装置と、暖房装置からの二酸化炭素ガスと温風を温室に供給するための第１排気ガス供給手段と、熱電併給装置からの排気ガスを温室に供給するための第２排気ガス供給手段を設けた炭酸ガス供給システム（特許文献２）も開発されている。
【０００６】
しかしながらこの炭酸ガス供給システムでは暖房装置や熱電併給装置からの排気ガスに含まれる炭酸ガスを利用するので、暖房が必要でない時期には炭酸ガスを供給できない問題がある。
【先行技術文献】
【特許文献】
【０００７】
【特許文献１】特開２０１０−３５４３６
【特許文献２】特開２００９−２１３４１４
【考案の概要】
【考案が解決しようとする課題】
【０００８】
本考案は上記問題を改善し、茸類を栽培する農業用ハウスから排出される二酸化炭素を、野菜や果実、花卉などを栽培する農業用ハウスに供給して、光合成を促進させると共に、二酸化炭素の大気中への排出を抑えた循環型農業用ハウスを提供するものである。
【課題を解決するための手段】
【０００９】
本考案の請求項１記載の循環型農業用ハウスは、茸類を栽培する農業用ハウスと、野菜や果実、花卉を栽培する農業用ハウスとを隣接して設け、茸類を栽培する農業用ハウスにファンを取付けて、ここで発生した二酸化炭素を、隣接して設けた野菜や果実、花卉を栽培する農業用ハウスに循環させるようにしたことを特徴とするものである。
【００１０】
本考案の請求項２記載の循環型農業用ハウスは、請求項１において、農業用ハウスを２つに区分して、区分した一方を、茸類を栽培する農業用ハウスとし、区分した他方を野菜や果実、花卉を栽培する農業用ハウスとしたことを特徴とするものである。                                              
【００１１】
本考案の請求項３記載の循環型農業用ハウスは、請求項１において、茸類を栽培する農業用ハウスと、野菜や果実、花卉を栽培する農業用ハウスとを分離して設け、茸類を栽培する農業用ハウスに取付けたファンに排出ダクトを接続して、これを野菜や果実、花卉を栽培する農業用ハウスに接続したことを特徴とするものである。
【考案の効果】
【００１２】
本考案に係る請求項１記載の循環型農業用ハウスによれば、茸類を栽培する農業用ハウスから排出された二酸化炭素をファンにより、隣接する野菜や果実、花卉を栽培する農業用ハウスに循環させることにより、茸類を栽培する農業用ハウスの二酸化炭素濃度を下げると共に、野菜や果実、花卉を栽培する農業用ハウスには供給された二酸化炭素と空気中の二酸化炭素で濃度の高い状態となって吸収され、照射された太陽光による光合成を促進させて、その生長を速めることができる。
【００１３】
この結果、大気中への二酸化炭素の放出を抑えて地球温暖化の防止に貢献できる。更に二酸化炭素ガスを封入したガスボンベを使用しないので、栽培コストを大幅に低減することができると共に、暖房用の暖房機器から排出される二酸化炭素ガスを利用する場合に比べて、暖房を使用しない夏期にも安定して栽培することができる。
【００１４】
また請求項２記載の循環型農業用ハウスによれば、農業用ハウス内を２つに区分して、区分した一方を、茸類を栽培する農業用ハウスとし、区分した他方を野菜や果実、花卉を栽培する農業用ハウスとしたので、敷地を有効に利用できると共に茸類の他にも多品種の生産を行うことができる。
【００１５】
また請求項３記載の循環型農業用ハウスによれば、茸類を栽培する農業用ハウスと、野菜や果実、花卉を栽培する農業用ハウスとを分離して設け、茸類を栽培する農業用ハウスに取付けたファンに排出ダクトを接続して二酸化炭素を供給するので、既設の茸類を栽培する農業用ハウスの隣に、新たに野菜や果実、花卉を栽培する農業用ハウスを増設する場合に好適である。
【考案を実施するための最良の形態】
【００１６】
以下本考案の実施例を図１ないし図３を参照して詳細に説明する。農業用ハウスを２つに区分して、区分した一方を、茸類を栽培する農業用ハウス１とし、区分した他方を野菜や果実、花卉を栽培する農業用ハウス２としている。茸類を栽培する農業用ハウス１は遮光シート３で覆われ、太陽光を遮断するようになっている。また野菜や果実、花卉を栽培する農業用ハウス２は、透明なプラスチックシート４で覆われ、内部に太陽光が照射されるようになっている。また農業用ハウス１の屋根側の側壁には外気を取り入れる吸気ファン５が取付けられ、また農業用ハウス２の屋根に天窓６が設けられている。
【００１７】
農業用ハウス１には図２に示すようにシロッコファン９が取付けられ、その吸引ダクト１１は床側に向かって取付けられ、排出ダクト１２は、農業用ハウス１、２を仕切る仕切りシート１３を貫通して農業用ハウス２内に挿入されている。農業用ハウス１内には栽培棚１５が設置され、ここに菌床を形成した複数の栽培袋１６が並べられている。またこの農業用ハウス１に隣接する農業用ハウス２には例えば栽培土壌１７が形成され、ここに例えば葉物野菜１８が栽培されている。
【００１８】
上記構成の循環型農業用ハウスは、茸類を栽培する農業用ハウス１内に吸気ファン５で外気を取り入れ、栽培棚１５に並べた栽培袋１６で茸類を栽培すると、茸類は酸素呼吸をする好気性菌であり、この結果、二酸化炭素が放出される。この二酸化炭素は重いため床側に溜り、二酸化炭素のハウス内濃度が上昇すると酸素濃度が低下し生長が遅くなる。このため農業用ハウス１内に設置したシロッコファン９を駆動させ、床側に溜った二酸化炭素を吸引ダクト１１で吸引して、排出ダクト１２から隣接する葉物野菜１８を栽培している農業用ハウス２に供給すると共に、吸気ファン５から外気を取り込む。
【００１９】
農業用ハウス２内の葉物野菜１８は、茸類から排出された二酸化炭素と空気中の二酸化炭素で濃度の高い状態となって吸収され、透明なプラスチックシート４を通して照射された太陽光による光合成を促進させて、その生長を速めることができる。
【００２０】
このように、従来は茸類から排出された二酸化炭素を大気中に放出して、濃度上昇を抑えていたが、これを隣接する農業用ハウス２に循環させて、二酸化炭素濃度の高い状態に保持して葉物野菜１８を栽培するので、二酸化炭素を有効利用できると共に、大気中に放出する二酸化炭素を低減することができる。
【００２１】
更に従来のように二酸化炭素ガスを封入したガスボンベを使用しないので、栽培コストを大幅に低減することができると共に、暖房用の暖房機器から排出される二酸化炭素ガスを利用する場合に比べて、暖房を使用しない夏期にも安定して栽培することができる。
【００２２】
図３は本考案の他の実施の形態を示すもので、茸類を栽培する農業用ハウス１と、野菜や果実、花卉を栽培する農業用ハウス２とを分離して設け、茸類を栽培する農業用ハウス１に取付けたシロッコファン９の排出ダクト１２を農業用ハウス２の側壁に挿入して、茸類を栽培する農業用ハウス１で排出された二酸化炭素を農業用ハウス２に供給するようにしたものである。
【００２３】
この構造では、既設の茸類を栽培する農業用ハウス１の隣に、新たに野菜を栽培する農業用ハウス２を増設する場合に好適である。
【００２４】
なお上記説明では農業用ハウス２内で葉物野菜１８を栽培する場合について示したが、トマトやキュウリなどの野菜や、苺やメロンなどの果実、あるいは菊やリンドウ、かすみ草などの花卉の栽培に広く適用することができる。また上記説明では農業用ハウス１内で発生した二酸化炭素を隣接する農業用ハウス２に供給する手段としてシロッコファン９を用いた場合について示したが、簡単な構造の送風ファンを用いても良い。
【図面の簡単な説明】
【００２５】
【図１】本考案の実施の一形態による農業用ハウスを２つに区分して、区分した一方を、茸類を栽培する農業用ハウスとし、他方を野菜や果実、花卉を栽培する農業用ハウスとした茸循環型農業用ハウスの斜視図である。
【図２】図１の断面図である。
【図３】本考案の他の実施の形態による茸類を栽培する農業用ハウスと野菜や果実、花卉を栽培する農業用ハウスと分離して、ここを排出ダクトで連結した循環型農業用ハウスを一部破断して示す側面図である。
【符号の説明】
【００２６】
１    茸類を栽培する農業用ハウス                            
２    野菜や果実、花卉農業用ハウス                          
３    遮光シート                                            
４    透明なプラスチックシート                              
５    吸気ファン                                            
６    天窓                                                  
９    シロッコファン                                        
１１  吸引ダクト                                            
１２  排出ダクト                                            
１３  仕切りシート                                          
１５  栽培棚                                                
１６  栽培袋                                                
１７  栽培土壌                                              
１８  葉物野菜                                              
【図１】
0003176668.tif 000003
【図２】
0003176668.tif 000004
【図３】
0003176668.tif 000005